【手続補正書】
【提出日】平成28年1月27日(2016.1.27)
【手続補正１】
【補正対象書類名】明細書
【補正対象項目名】００２５
【補正方法】変更
【補正の内容】
【００２５】
また、この時、第４のツェナーダイオード９ａのツェナー電圧２３Ｖを超えるが、抵抗９ｂ１が直列に接続されており、抵抗９ｂ１が電圧を負担し電流を制限するので、電源回路５の電圧は第３のツェナーダイオード５６のツェナー電圧（２４Ｖ）に維持される。その結果、第４のツェナーダイオード９ａがオンのままとなり、積分回路９ｂにおいて抵抗９ｂ１を介してコンデンサ９ｂ２の充電が開始される。しかしながら、瞬時のサージ電圧の場合には、交流電路１中の交流電圧にサージ電圧が重畳される時間が非常に短い（たとえば、１〜２ｍｓｅｃ程度）。そのため、コンデンサ９ｂ２の電圧は十分に上昇しない、つまり、電源回路５の出力電圧が第２の所定電圧を超えた時間が所定時間より短いので、比較回路９ｃの出力はオンせず、漏電遮断器１００は遮断動作しない。
このように、漏電遮断器１００は遮断動作しないが、電源回路５の出力電圧は、第３のツェナーダイオード５６のツェナー電圧に抑制されることになり、サージ電圧から漏電検出回路６や引き外し装置４は保護される。
【手続補正２】
【補正対象書類名】明細書
【補正対象項目名】００３５
【補正方法】変更
【補正の内容】
【００３５】
そして、漏電テスト回路１０の出力であるトランジスタ１０ｄのエミッタは、テスト巻線２１の一端に接続され、テスト巻線２１の他端は、零相変流器３を貫通したのち整流回路５２の出力負側に接続されている。
漏電テスト回路１０とテスト巻線２１によって、漏電遮断器が正常であることを点検するための、漏電テスト機能を構成している。
【手続補正３】
【補正対象書類名】明細書
【補正対象項目名】００３７
【補正方法】変更
【補正の内容】
【００３７】
次に動作について説明する。
通常の漏電テスト動作のため、テストスイッチ１０ａをオンさせた場合には、テスト電流生成回路１０ｂに第１の定電圧回路７より電源が供給され、トランジスタ１０ｄをスイッチングさせることで抵抗１０ｃを介してテスト巻線２１にテスト電流、つまり漏電模擬電流が流れる。テスト巻線２１にテスト電流が流れると零相変流器３の出力に信号が発生し、漏電検出回路６により漏電と判別すると、スイッチング手段８に出力される。スイッチング手段８はその出力によりオンとなり電源回路５からスイッチング手段８を介して引外しコイル４ａに励磁電流が流れ、引き外し機構４ｂが動作することにより、開閉接点２が開路し、漏電遮断器１０１が遮断する。
【手続補正４】
【補正対象書類名】明細書
【補正対象項目名】００４０
【補正方法】変更
【補正の内容】
【００４０】
また、この時、第４のツェナーダイオード９ａのツェナー電圧２３Ｖを超えるため、第４のツェナーダイオード９ａがオンし、テスト電流生成回路１０ｂに電源が供給され、トランジスタ１０ｄをスイッチングさせることでテスト巻線２１にテスト電流を流す。テスト巻線２１にテスト電流が流れると零相変流器３の出力に信号が発生するが、この零相変流器３からの漏電信号は、図４に示すように、フィルター６ａにより高周波成分が除去され、レベル判定器６ｂに入力され、そのレベルが判定される。漏電信号が所定のレベル以上であれば、次に信号幅判別器６ｃで信号の時間幅を判別する。漏電信号の時間幅も判定値以上であれば、さらに、カウンタ６ｄにより、タイマ６ｅがカウンタ６ｄをリセットするまでの間に漏電信号がおよそ商用周波数で繰り返していることをカウントする。
【手続補正５】
【補正対象書類名】明細書
【補正対象項目名】００４４
【補正方法】変更
【補正の内容】
【００４４】
また、第２の定電圧回路５３の出力電圧Ｖｄは第４のツェナーダイオード９ａのツェナー電圧２３Ｖを超えるため、第４のツェナーダイオード９ａがオンし、テスト電流生成回路１０ｂに電源が供給され、トランジスタ１０ｄをスイッチングさせることでテスト巻線２１にテスト電流が流される。テスト巻線２１に擬似漏洩電流が流れると零相変流器３の出力に信号が発生し、図４に示すように、フィルター６ａにより高周波成分が除去され、レベル判定器６ｂに入力され、レベルを判定する。連続的な過電圧の場合には、所定のレベル以上であるので、信号幅判別器６ｃへ出力される。そして、信号幅判別器６ｃで信号の時間幅を判別され、漏電信号の時間幅も判定値以上であるので、さらに、カウンタ６ｄにより、タイマ６ｅがカウンタ６ｄをリセットするまでの間に漏電信号がおよそ商用周波数で繰り返していることがカウントされるので漏電と判別し、スイッチング手段８に出力される。スイッチング手段８はその出力によりオンとなり電源回路５からスイッチング手段８を介して引外しコイル４ａに励磁電流が流れ、引き外し機構４ｂが動作することにより、開閉接点２が開路する。開閉接点２が開路することで、電源回路５への給電は停止する。
【手続補正６】
【補正対象書類名】明細書
【補正対象項目名】００５５
【補正方法】変更
【補正の内容】
【００５５】
フラックスゲートセンサ３１は、直流電路１１が挿通される環状のコア３１ａと、コア３１ａに巻回されたコイル３１ｂと、コイル３１ｂの磁束密度を方向を反転させながら飽和させるようにコイル３１ｂに正負対称の矩形波にて電圧を印加する駆動回路３１ｃと、コイル３１ｂを流れるコイル電流に対応して変化する測定電圧から漏洩電流を検出する検出回路３１ｄとを備える。
【手続補正７】
【補正対象書類名】明細書
【補正対象項目名】００５７
【補正方法】変更
【補正の内容】
【００５７】
そして、漏電テスト回路１０の出力であるトランジスタ１０ｄのエミッタは、テスト巻線２１の一端に接続され、テスト巻線２１の他端は、フラックスゲートセンサ３１のコア３１ａを貫通したのち整流回路５２の出力負側に接続されている。
漏電テスト回路１０とテスト巻線２１によって、漏電遮断器が正常であることを点検するための、漏電テスト機能を構成している。
その他の構成と動作については、実施の形態３と同様であるので、説明は省略する。
【手続補正８】
【補正対象書類名】明細書
【補正対象項目名】００５８
【補正方法】変更
【補正の内容】
【００５８】
次に動作について説明する。
通常の漏電テスト動作のため、テストスイッチ１０ａをオンさせた場合には、第２の定電圧回路５３より電源が供給され、トランジスタ１０ｄをスイッチングさせることで抵抗１０ｃを介してテスト巻線２１にテスト電流、つまり漏電模擬電流が流れる。テスト巻線２１にテスト電流が流れるとコア３１ａの出力から検出回路３１ｄにより漏電と判別されると、検出回路３１ｄからスイッチング手段８に出力される。スイッチング手段８はその出力によりオンとなり電源回路５からスイッチング手段８を介して引外しコイル４ａに励磁電流が流れ、引き外し機構４ｂが動作することにより、開閉接点２が開路し、漏電遮断器１０３が遮断する。
【手続補正９】
【補正対象書類名】明細書
【補正対象項目名】００６１
【補正方法】変更
【補正の内容】
【００６１】
また、第２の定電圧回路５３の出力電圧Ｖｄは第４のツェナーダイオード９ａのツェナー電圧２３Ｖを超えるため、第４のツェナーダイオード９ａがオンし、トランジスタ１０ｄをオンさせることでテスト巻線２１に疑似漏洩電流が流される。テスト巻線２１に擬似漏洩電流が流れるとコア３１ａの出力が変化し、その変化を検出回路３１ｄが漏電と判別されると、検出回路３１ｄからスイッチング手段８に出力される。スイッチング手段８はその出力によりオンとなり電源回路５からスイッチング手段８を介して引外しコイル４ａに励磁電流が流れ、引き外し機構４ｂが動作することにより、開閉接点２が開路する。開閉接点２が開路することで、電源回路５への給電は停止する。なお、検出回路３１ｄは、コア３１ａからの出力の変化が所定時間を超えた場合に漏電を判断するものである。
【手続補正１０】
【補正対象書類名】明細書
【補正対象項目名】００６３
【補正方法】変更
【補正の内容】
【００６３】
本実施の形態によれば、直流電路１１から供給された電力を定電圧の電力に降圧する第２の定電圧回路５３、直流電路１１からの過電圧を検出する第２のツェナーダイオード５４、およびこの第２のツェナーダイオード５４が過電圧を検出したとき第２の定電圧回路５３の出力電圧を昇圧させる第２の抵抗５５からなる電源回路５と、この電源回路５の出力側に設けられ、電源回路５の出力電圧が第１の所定値に達したときサージ電流を吸収する第３のツェナーダイオード５６と、電源回路５の出力側に設けられ、電源回路５の出力電圧が電源回路５の定格電圧より高く第１の所定値より低い第２の所定値を超えた場合に引き外し装置４を駆動する過電圧検出回路を含む漏電テスト回路１０と、を有するので、耐電圧試験など直流電路１１に過電圧が連続的に印加された場合でも、漏電遮断器１０３を遮断させることによって、漏電遮断器１０３を故障から保護することができる。
【手続補正１１】
【補正対象書類名】図面
【補正対象項目名】図３
【補正方法】変更
【補正の内容】
【図３】
2016046063.tif 000001